(57)【要約】【課題】信号の送信と受信とにおいて非対称な通信経路が用いられる場合の確認応答の送受信を確実に行うこと。【解決手段】通信装置は、端末装置から中継装置へ送信されると共に中継装置から転送された信号の受信に成功した場合に、中継装置と端末装置とに対してマルチキャストで確認応答を送信する。【選択図】  図５
2018121173.tif 000002
【特許請求の範囲】
【請求項１】
端末装置から中継装置へ送信されると共に前記中継装置から転送された信号を受信する受信手段と、
前記信号の受信に成功した場合に、前記中継装置と前記端末装置とに対してマルチキャストで確認応答を送信する送信手段と、
を有することを特徴とする通信装置。
【請求項２】
前記通信装置は、前記中継装置と前記端末装置とに対してマルチキャストで確認応答を送信するか否かを決定する決定手段をさらに有する、
ことを特徴とする請求項１に記載の通信装置。
【請求項３】
前記決定手段は、前記端末装置が前記中継装置からの信号を受信できない場合に、前記中継装置と前記端末装置とに対してマルチキャストで確認応答を送信すると決定する、
ことを特徴とする請求項２に記載の通信装置。
【請求項４】
前記決定手段は、前記端末装置が低消費電力動作を行っている場合に、前記中継装置と前記端末装置とに対してマルチキャストで確認応答を送信すると決定する、
ことを特徴とする請求項２又は３に記載の通信装置。
【請求項５】
前記決定手段は、前記中継装置と前記端末装置とに対してマルチキャストで確認応答を送信すると決定しなかった場合は、前記中継装置に対してユニキャストで確認応答を送信し、前記中継装置は当該確認応答を前記端末装置へ転送すると決定する、
ことを特徴とする請求項２から４のいずれか１項に記載の通信装置。
【請求項６】
前記送信手段は、前記決定手段における決定の結果を通知する信号を、前記端末装置と前記中継装置とに送信する、
ことを特徴とする請求項２から５のいずれか１項に記載の通信装置。
【請求項７】
通信装置の制御方法であって、
受信手段が、端末装置から中継装置へ送信されると共に前記中継装置から転送された信号を受信する受信工程と、
送信手段が、前記信号の受信に成功した場合に、前記中継装置と前記端末装置とに対してマルチキャストで確認応答を送信する送信工程と、
を有することを特徴とする制御方法。
【請求項８】
通信装置に備えられたコンピュータに、
端末装置から中継装置へ送信されると共に前記中継装置から転送された信号を受信させ、
前記信号の受信に成功した場合に、前記中継装置と前記端末装置とに対してマルチキャストで確認応答を送信させる、
ためのプログラム。
【発明の詳細な説明】
【技術分野】
【０００１】
本発明は、中継通信が行われる場合の確認応答の送受信に関する。
【背景技術】
【０００２】
第３世代パートナーシッププロジェクト（３ＧＰＰ）では、基地局装置が割り当てたリソースを用いた端末間通信（Ｄｅｖｉｃｅ  ｔｏ  Ｄｅｖｉｃｅ（Ｄ２Ｄ）通信）が規定されている。Ｄ２Ｄ通信は、例えば、基地局装置と所定の端末装置との間の通信を中継する際に用いることもできる。すなわち、基地局装置は、第１の端末装置との間で確立した無線リンクを用いて信号を送信し又は信号を受信し、第１の端末装置は、第２の端末装置との間でＤ２Ｄ通信によって、基地局装置からの信号を第２の端末装置へ転送し、又は第２の端末装置からの信号を基地局装置へ転送する。
【０００３】
基地局装置との間の通信を中継装置の助けを得て行う端末装置は、必ずしも中継装置を介した信号の送信と受信との両方を行うことができるわけではない場合がある。例えば、中継装置は、基地局装置から下りリンクの周波数で受信した信号を、上りリンクの周波数で転送する場合がある。この場合、端末装置は、上りリンクの周波数での信号を受信する能力を有しない場合、その転送された信号を受信することができない。したがって、例えば、端末装置は、下りリンクに関する通信については基地局装置との間で直接行い、上りリンクに関する通信のみを中継装置を介して行うことが考えられる。
【発明の概要】
【発明が解決しようとする課題】
【０００４】
一方、上述のように、上りリンクと下りリンクで非対称な通信経路を用いる場合、上りリンクの通信経路と下りリンクの通信経路とが非対称である場合、受信側の装置における信号の受信状況を確認するための確認応答がどのように取り扱われるかが課題となる。例えば、基地局装置は、上りリンクで端末装置から中継装置へ伝送され、中継装置から中継された信号を受信した場合、一般的にはその信号の送信元である中継装置に対して確認応答を送信する。しかしながら、端末装置は中継装置からの信号を受信することができないため、その確認応答を受信することができない。
【０００５】
本発明は、上記課題に鑑みてなされたものであり、信号の送信と受信とにおいて非対称な通信経路が用いられる場合の確認応答の送受信を確実に行う技術を提供することを目的とする。
【課題を解決するための手段】
【０００６】
上記目的を達成するため、本発明の一態様による通信装置は、端末装置から中継装置へ送信されると共に前記中継装置から転送された信号を受信する受信手段と、前記信号の受信に成功した場合に、前記中継装置と前記端末装置とに対してマルチキャストで確認応答を送信する送信手段と、を有する。
【発明の効果】
【０００７】
本発明によれば、信号の送信と受信とにおいて非対称な通信経路が用いられる場合の確認応答の送受信を確実に行うことが可能となる。
【図面の簡単な説明】
【０００８】
【図１】無線通信システムの構成例を示す図。
【図２】制御装置及び端末装置のハードウェア構成例を示す図。
【図３】制御装置の機能構成例を示すブロック図。
【図４】端末装置の機能構成例を示すブロック図。
【図５】無線通信システムで実行される処理の流れの第１の例を示す図。
【図６】無線通信システムで実行される処理の流れの第２の例を示す図。
【図７】無線通信システムで実行される処理の流れの第３の例を示す図。
【発明を実施するための形態】
【０００９】
以下、図面を参照しながら本発明の実施形態について説明する。
【００１０】
（ネットワーク構成）
図１に、本実施形態に係る無線通信システムの構成例を示す。本無線通信システムは、例えば、第３世代パートナーシッププロジェクト（３ＧＰＰ）で規格化されたセルラ通信規格に従って動作する、基地局装置（制御装置）１０１と端末装置１０２及び１０３とを含んで構成される。端末装置１０２及び１０３は、それぞれ、制御装置１０１と通信することができると共に、例えば制御装置１０１によって割り当てられた（例えば時間及び周波数によって指定される）無線リソースを用いて、端末間通信を行うことができる。端末装置１０２及び１０３は、このような制御装置１０１との間の第１の通信と端末間の第２の通信とを用いて、制御装置１０１と他の端末装置との間の通信を中継する中継装置として機能することができる。
【００１１】
このような無線通信システムでは、一部の端末装置は、必ずしも信号の送信と受信との両方を、中継装置を介して行うことができるわけではない場合がある。例えば、端末装置は、一般に基地局装置からの下りリンクの信号を受信することができるように構成されるが、（例えば下りリンクと異なる周波数帯が用いられる）上りリンクでの無線信号を受信できる必要は必ずしもない。このため、このような端末装置は、中継装置として動作する端末装置が端末間通信において下りリンクの信号を送信することができない限りは、端末間通信の信号を受信できないこととなる。この場合、基地局装置は、このような端末装置に対して下りリンクの信号は直接送信しながら、上りリンクの信号については中継装置を介して間接的に受信するような構成をとることができる。このような構成は、基地局装置は送信電力を比較的大きくすることができる一方で、端末装置は使用可能な送信電力に（例えば低消費電力化等の要請により）厳しい制限がありうる点でも、合理的でありうる。すなわち、端末装置によっては、基地局装置からの信号を十分な品質で受信できても、自装置が送信した信号が基地局装置に十分な品質で届かない場合がありうる。このため、上りリンクの通信のみが中継で行われるだけでも、基地局装置と端末装置とが通信可能となる確率を向上させることができるようになる。
【００１２】
さらに、一部の端末装置は、セルラ通信による端末間通信機能を有しない場合がある。このような端末装置は、Ｂｌｕｅｔｏｏｔｈ（登録商標）  Ｌｏｗ  Ｅｎｅｒｇｙ（ＢＬＥ）やＩＥＥＥ８０２．１１規格に従う無線ＬＡＮ等、他の無線アクセス技術（ＲＡＴ）を用いて、端末間通信を行うことがありうる。このようなＲＡＴを用いた信号は、セルラ通信と比して使用可能な送信電力が低い場合が多く、また、セルラの基地局装置がこのようなＲＡＴに対応していないことも想定されうる。このため、端末間通信において異なるＲＡＴが用いられる場合にも、上りリンクでの通信において中継装置を使用することが有益でありうる。
【００１３】
図１は、このような非対称な通信経路が用いられる状態を示している。すなわち、端末装置１０２が、端末装置１０３からの上りリンクの信号を受信して、その信号を制御装置１０１に転送することで、端末装置１０３と制御装置１０１との間の上りリンクの通信は、端末装置１０２を介して間接的に行われている。一方で、端末装置１０３は、制御装置１０１からの下りリンクの信号を、端末装置１０２を介さずに直接受信することができる。なお、中継装置として動作可能な端末装置１０２は、端末装置１０３からの上りリンクの信号を受信することができ、その信号を上りリンクの信号として制御装置１０１へ送信することができる端末装置の中から選択されうる。
【００１４】
ここで、本実施形態では、このような上りリンクと下りリンクで非対称な通信経路が用いられる場合に、制御装置１０１が、端末装置１０３から端末装置１０２を経て受信した上りリンクの信号に対して、受信状況を確認するための確認応答を端末装置１０３へ送信する手法について検討する。一般に、信号を受信した装置は、その信号の送信元の装置に対して確認応答を送信する。すなわち、本実施形態のような無線通信システムでは、制御装置１０１は、端末装置１０３からの信号を端末装置１０２から受信すると、その信号に対する確認応答を端末装置１０２に送信しうる。これによれば、端末装置１０２は、中継した信号が正常に制御装置１０１へと届いたことを確認することができる。しかしその一方で、端末装置１０２は、端末装置１０３へとその確認応答を転送することはできない。ここでの端末装置１０３は、端末装置１０２からの信号を受信する能力を有しないからである。このようなシステムでは、端末装置１０２は、端末装置１０３へ送信すべき信号は制御装置１０１から送信すべきことを例えば制御装置１０１からの指示によって認識しうる。この場合、端末装置１０２は、端末装置１０３へ送信すべき信号が存在する場合はその信号を制御装置１０１へと送信し、制御装置１０１から端末装置１０３へとその信号を転送させる、通常の基地局装置を介した通信を行いうる。しかしながら、この場合、端末装置１０３へ送信すべき信号は、制御装置１０１から送信された確認応答である。このため、端末装置１０２は、制御装置１０１が送信した信号を、制御装置１０１に戻し、端末装置１０３へと転送させることとなる。この場合、本来不必要な信号の伝送が増えて無線リソースが浪費されうる。また、端末装置１０３に確認応答が届くまでの時間が長期化してしまい、結果として端末装置１０３が確認応答を長い間待ち受けることによって、端末装置１０３における消費電力の不必要な増大を招きうる。
【００１５】
本実施形態に係る制御装置１０１は、このような課題に対して、端末装置１０３から、中継装置として動作している端末装置１０２を介してデータ信号を受信した場合に、端末装置１０２及び端末装置１０３に対して、マルチキャストで確認応答信号を送信する。そして、端末装置１０２は、端末装置１０３に対する確認応答を制御装置１０１へ送信しないようにしうる。これによれば、制御装置１０１は、端末装置１０３から端末装置１０２を介して受信したデータ信号に対して、端末装置１０３へ直接確認応答を送信するため、端末装置１０３は、短期間の待ち受けによって確認応答を受信することができる。また、制御装置１０１が、マルチキャストによって、端末装置１０２へも同じ確認応答を送信するため、端末装置１０２は、自装置が中継した端末装置１０３からの信号の制御装置１０１における受信が成功したことを知ることができる。また、制御装置１０１から送信された確認応答を端末装置１０２が制御装置１０１に戻すことがないため、無線リソースの浪費を防ぐことができる。さらに、端末装置１０２は、自装置内で発生したデータ信号を制御装置１０１へ送信した場合に、そのデータ信号に対する制御装置１０１からの確認応答を同時に受信することもできる。以下では、この手順を手順１と呼ぶ。
【００１６】
制御装置１０１は、これに代えて、中継装置として動作している端末装置１０２を介して端末装置１０３からのデータ信号を受信した場合に、ユニキャスト信号によって、端末装置１０３のみに確認応答を送信しうる。そして、この場合、端末装置１０３は、この確認応答を端末装置１０２に対して転送する。これによれば、制御装置１０１は、端末装置１０３から端末装置１０２を介して受信したデータ信号に対して、端末装置１０３へ直接確認応答を送信するため、端末装置１０３は、短期間の待ち受けによって確認応答を受信することができる。また、端末装置１０２は、端末装置１０３からの信号によって、自装置が中継した端末装置１０３からの信号の制御装置１０１における受信が成功したことを知ることができる。さらに、端末装置１０２は、自装置において発生したデータ信号に関する確認応答を、この端末装置１０３からの確認応答とは別個に受信しうるため、例えば端末装置１０３に関する確認応答を受信するのを待たずに次のデータ信号を送信することができる。以下では、この手順を手順２と呼ぶ。
【００１７】
さらに、手順１及び手順２に代えて、端末装置１０２が、端末装置１０３からのデータ信号の受信に成功した時点で、制御装置１０１へそのデータ信号に対する確認応答を送信し、制御装置１０１にその確認応答を転送させてもよい。端末装置１０２は、少なくともデータ信号の転送に関して、その転送したデータ信号に関する確認応答を制御装置１０１から受信するよりも前に、端末装置１０３への確認応答を制御装置１０１へと送信しうる。例えば、端末装置１０２は、端末装置１０３からのデータ信号を制御装置１０１へ転送する前又はこの転送と並行して、端末装置１０３への確認応答を制御装置１０１へと送信する。これにより、端末装置１０３は、短期間の待ち受けによって確認応答を受信することができる。なお、端末装置１０３に対する確認応答が端末装置１０２から送信された時点において制御装置１０１がこのデータ信号の受信に成功するか否かは不明である。しかしながら、少なくとも端末装置１０２においてはこのデータ信号の受信に成功しており、この結果、仮に制御装置１０１においてこのデータ信号の受信に失敗しても、端末装置１０２が再送すれば足りる。制御装置１０１は、端末装置１０２から、端末装置１０３への確認応答とは別個に又は並行して送信された、端末装置１０３からのデータ信号を受信すると、そのデータ信号に対する確認応答を、端末装置１０２のみに送信する。これにより、端末装置１０２は、自装置が中継した端末装置１０３からの信号の制御装置１０１における受信が成功したか否かを知ることができる。なお、端末装置１０２は、この確認応答が端末装置１０２と制御装置１０１との間の通信のみに関するものであるため、この確認応答を端末装置１０３へ転送することはない。以下では、この手順を手順３と呼ぶ。
【００１８】
なお、制御装置１０１は、端末装置１０３が端末装置１０２からの信号を受信することができるか否かによって、上述の手順１〜手順３のいずれかの処理を実行するか否かを決定してもよい。手順１を例にとると、制御装置１０１は、端末装置１０３が端末装置１０２からの信号を受信できない場合に、端末装置１０２及び端末装置１０３に対してマルチキャストで確認応答を送信すると決定しうる。制御装置１０１は、端末装置１０３が端末装置１０２からの信号を受信することができるか否かを示す情報を、例えば端末装置１０３からの、場合によっては端末装置１０２によって転送された、通知によって取得することができる。
【００１９】
また、制御装置１０１は、端末装置１０３が低消費電力動作を行っているか否かによって、上述の手順１〜手順３のいずれかを実行するか否かを決定してもよい。手順１を例にとると、制御装置１０１は、端末装置１０３が低消費電力動作を行っている場合は、端末装置１０２及び端末装置１０３に対してマルチキャストで確認応答を送信すると決定しうる。なお、制御装置１０１は、端末装置１０３が低消費電力動作を行っているか否かを示す情報を、例えば端末装置１０３からの、場合によっては端末装置１０２によって転送された、通知によって取得することができる。また、制御装置１０１は、端末装置１０３が低消費電力動作を行っていることを、端末装置１０３が不連続受信モード（例えば３ＧＰＰで定められている拡張ＤＲＸ（ｅＤＲＸ）モード）における受信周期が一定時間以上の長周期設定で動作しているか否かによって認識してもよい。また、制御装置１０１は、端末装置１０３がＰＳＭ（Ｐｏｗｅｒ  Ｓａｖｉｎｇ  Ｍｏｄｅ）を有効としているか否かによって、低消費電力動作を行っているか否かを判定してもよい。
【００２０】
また、制御装置１０１は、例えば端末装置１０２が低消費電力動作を行っている場合に、上述の手順１〜手順２のいずれかを実行することを決定してもよい。上述の手順１〜手順２によれば、端末装置１０２は、端末装置１０３への確認応答の転送のための信号伝送を行う必要がないため、消費電力を抑えることができるからである。
【００２１】
なお、制御装置１０１は、上述の手順１〜手順３のいずれかを実行すると決定しなかった場合は、端末装置１０２に対してユニキャストで確認応答を送信し、端末装置１０２がその確認応答を端末装置１０３へ転送すると決定しうる。
【００２２】
なお、制御装置１０１は、上述の処理を実行するか否かの決定の結果を、端末装置１０２及び端末装置１０３へ通知しうる。これにより、端末装置１０２は、端末装置１０３への確認応答の送信を試みることがなくなり、端末装置１０２の消費電力の消費を抑えることが可能となる。また、端末装置１０２及び端末装置１０３は、例えば、マルチキャスト信号を待ち受けるのかユニキャスト信号を待ち受けるのかを判定することができる。
【００２３】
また、制御装置１０１は、端末装置１０３が端末装置１０２からの信号を受信できない場合に、上述のいずれかの方法を選択して確認応答を送信してもよい。この場合、制御装置１０１は、端末装置１０２及び端末装置１０３へと、どの方法を用いるかを通知しうる。
【００２４】
（装置構成）
続いて、上述のような処理を行う制御装置１０１及び端末装置１０２〜１０３の構成について説明する。
【００２５】
図２に、制御装置１０１及び端末装置１０２〜１０３のハードウェア構成例を示す。制御装置１０１及び端末装置１０２〜１０３は、一例において、図２に示すようなハードウェア構成を有し、例えば、ＣＰＵ２０１、ＲＯＭ２０２、ＲＡＭ２０３、外部記憶装置２０４、及び通信装置２０５を有する。制御装置１０１及び端末装置１０２〜１０３では、例えばＲＯＭ２０２、ＲＡＭ２０３及び外部記憶装置２０４のいずれかに記録された、上述のような制御装置１０１及び端末装置１０２〜１０３の各機能を実現するプログラムがＣＰＵ２０１により実行される。なお、ＣＰＵ２０１は、ＡＳＩＣ（特定用途向け集積回路）、ＦＰＧＡ（フィールドプログラマブルゲートアレイ）、ＤＳＰ（デジタルシグナルプロセッサ）等の１つ以上のプロセッサによって置き換えられてもよい。
【００２６】
そして、制御装置１０１及び端末装置１０２〜１０３は、例えばＣＰＵ２０１により通信装置２０５を制御して、制御装置１０１及び端末装置１０２〜１０３との間の通信又は端末装置１０２間の端末間通信を行う。なお、図２では、制御装置１０１及び端末装置１０２〜１０３は、１つの通信装置２０５を有するような概略図を示しているが、これに限られない。例えば、制御装置１０１は、制御装置（基地局装置）間の通信用の通信装置及び端末装置との間の通信装置を有してもよい。また、端末装置１０２〜１０３は、例えば制御装置１０１との間のセルラ通信用の通信装置と、他の端末装置との通信用のＢＬＥ等のセルラ通信と異なる通信用の通信装置とを有してもよい。
【００２７】
なお、制御装置１０１及び端末装置１０２〜１０３は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２８】
図３は、制御装置１０１の機能構成例を示す図である。制御装置１０１は、その機能として、無線通信部３０１、情報取得部３０２、応答方法決定部３０３、及び通信制御部３０４を有する。無線通信部３０１は、少なくとも端末装置１０２及び１０３との間で、３ＧＰＰによって規定されたセルラ通信によって、無線信号を送信し、受信することができる。
【００２９】
情報取得部３０２は、例えば、端末装置１０２又は端末装置１０３から、無線通信部３０１を介して、端末装置１０３が、端末間通信によって端末装置１０２からの信号を受信する能力を有するか否かの情報を取得しうる。また、情報取得部３０２は、例えば、端末装置１０２又は端末装置１０３から、端末装置１０３が低消費電力動作を行っているか否かの情報を取得してもよい。さらに、情報取得部３０２は、端末装置１０２から、端末装置１０２が低消費電力動作を行っているか否かの情報を取得してもよい。なお、これらの情報が事前に取得されている場合や事前に記憶されている場合には、これらの情報の取得が行われる必要はない。例えば、端末装置１０２及び端末装置１０３は、セルラ通信ネットワークとの接続を確立する際に上述の情報をネットワーク内に登録しておき、制御装置１０１は、端末装置１０２による中継が行われる際に、この登録された情報を取得するようにしてもよい。
【００３０】
応答方法決定部３０３は、例えば情報取得部３０２が取得した情報に基づいて、上述の手順１〜手順３のいずれかによって確認応答を送信するようにするか、又は、端末装置１０２に端末装置１０３のための確認応答を送信して端末装置１０３へは直接確認応答を送信しないようにするか、を決定しうる。制御装置１０１と端末装置１０２〜１０３は、上述の手順１〜手順３のいずれか１つのみに対応可能であってもよく、この場合、その１つの手順を実行するか否かが決定される。また、制御装置１０１と端末装置１０２〜１０３が上述の手順１〜手順３のうちの２つ以上に対応可能な場合は、それらのいずれかを実行するか、又は、いずれも実行しないかが決定されうる。
【００３１】
なお、上述の手順１〜手順３のいずれかを実行することが事前に定まっていてもよく、この場合は、情報取得部３０２及び応答方法決定部３０３は省略されてもよい。
【００３２】
応答方法決定部３０３によって決定された応答方法は、無線通信部３０１を介して、端末装置１０２及び端末装置１０３へと通知される。また、通信制御部３０４は、応答方法決定部３０３によって決定された応答方法に従って、端末装置１０３からのデータ信号を受信した場合の確認応答の送信手順を無線通信部３０１に実行させるための制御を行う。
【００３３】
図４は、端末装置１０２〜１０３の機能構成例を示す図である。端末装置１０２〜１０３は、一例において、無線通信部４０１、応答方法取得部４０２、及び通信制御部４０３を含んで構成される。
【００３４】
無線通信部４０１は、少なくとも制御装置１０１との間で、３ＧＰＰによって規定されたセルラ通信によって、無線信号を送信し、受信することができる。また、無線通信部４０１は、制御装置１０１によって割り当てられたリソースを用いてセルラ通信プロトコルに従って又は例えばセルラ通信と異なる通信プロトコルに従って、他の端末装置との間での端末間通信を行うことができる。なお、例えば端末装置１０３などでは、無線通信部４０１は、端末装置１０２に対して信号を送信することができる一方で、端末装置１０２からの信号を受信できない場合がありうることに留意されたい。
【００３５】
応答方法取得部４０２は、制御装置１０１から通知された、制御装置１０１からの確認応答の送信の方法についての情報を取得する。なお、応答方法取得部４０２は、この情報の取得のために、端末装置１０３が端末装置１０２からの信号を受信する能力を有するか否かの情報と端末装置１０３が低消費電力動作を行っているか否かの情報との少なくともいずれかを制御装置１０１へ通知しうる。なお、端末装置１０３の応答方法取得部４０２は、この情報を制御装置１０１へ直接送信してもよいし、端末装置１０２へこの情報を送信して、この情報を制御装置１０１へ転送させてもよい。また、端末装置１０２における応答方法取得部４０２は、端末装置１０２が低消費電力動作を行っているか否かの情報を、制御装置１０１へ通知しうる。なお、制御装置１０１がこれらの情報を別途取得可能な場合は、応答方法取得部４０２は、これらの情報の通知を行わなくてもよい。
【００３６】
通信制御部４０３は、応答方法取得部４０２によって取得された情報に基づいて、端末装置１０３から制御装置１０１へ送信された信号に対する制御装置１０１からの応答手順に対応する処理を実行する。例えば、端末装置１０２〜１０３は、手順１では、端末装置１０３からのデータ信号を制御装置１０１へ送信後に、マルチキャスト信号によって確認応答が送信されてくるのを待ち受ける。また、端末装置１０３は、手順２及び手順３において、制御装置１０１からユニキャスト信号で確認応答が送信されてくるのを待ち受ける。端末装置１０３は、手順２では、制御装置１０１からの確認応答を受信すると、端末間通信で、端末装置１０２に対して確認応答を転送する。端末装置１０２は、手順２では、端末装置１０３からの端末間通信で確認応答が送信されてくるのを待ち受ける。端末装置１０２は、手順３では、端末装置１０３からのデータ信号を受信すると、まずそのデータ信号に対する確認応答を制御装置１０１へ送信し、制御装置１０１から端末装置１０３へと、この確認応答を転送させる。このとき、端末装置１０２は、例えばこの確認応答と並行して又はこの確認応答の後に、データ信号を制御装置１０１へと送信し、その後、ユニキャスト信号で制御装置１０１から確認応答が送信されてくるのを待ち受ける。
【００３７】
（処理の流れ）
続いて、図５を用いて、手順１が用いられる場合の、無線通信システムにおいて実行される処理の流れについて説明する。
【００３８】
まず、制御装置１０１は、例えば端末装置１０２から、端末装置１０３が端末装置１０２からの信号を受信する能力を有するか、端末装置１０３が低消費電力動作を行っているか否か、端末装置１０２が低消費電力動作を行っているか否か、のうちの少なくともいずれか等の情報を取得する（Ｓ５０１）。なお、この情報は端末装置１０３から取得されてもよいし、たとえば制御装置１０１が接続するセルラ通信のネットワーク内のノードから取得されてもよい。そして、制御装置１０１は、取得した情報に基づいて、端末装置１０２によって中継されて制御装置１０１が受信した端末装置１０３からのデータ信号に対する確認応答の送信手順を決定する（Ｓ５０２）。ここでは、制御装置１０１は、手順１を実行することを決定したものとする。制御装置１０１は、決定した応答方法を、端末装置１０２〜１０３へと通知する（Ｓ５０３）。そして、端末装置１０２〜１０３は、この通知に応じて、制御装置１０１が確認応答を送信する手順に対応する処理を行うように、無線通信部４０１を設定する（Ｓ５０４）。この場合は、応答方法として手順１を採用すると制御装置１０１が決定したため、端末装置１０２〜１０３は、端末装置１０３からのデータ信号が端末装置１０２によって中継されて制御装置１０１へ送信された場合（Ｓ５０５、Ｓ５０６）は、確認応答がマルチキャスト信号で送信されてくるのを待機するようにする。
【００３９】
制御装置１０１は、このデータ信号を受信すると、このデータ信号に対する確認応答をマルチキャスト信号で送信する（Ｓ５０７）。この場合、端末装置１０２〜１０３は、マルチキャスト信号で確認応答が送信されてくるのを待ち受けているため、この確認応答を受信することができる。
【００４０】
これによれば、制御装置１０１は、端末装置１０３から端末装置１０２を介して受信したデータ信号に対して、端末装置１０３へ直接確認応答を送信するため、端末装置１０３は、短期間の待ち受けによって確認応答を受信することができる。また、制御装置１０１が、マルチキャストによって、端末装置１０２へも同じ確認応答を送信するため、端末装置１０２は、自装置が中継した端末装置１０３からの信号の制御装置１０１における受信が成功したことを知ることができる。また、制御装置１０１から送信された確認応答を端末装置１０２が制御装置１０１に戻すことがないため、無線リソースの浪費を防ぐことができる。さらに、端末装置１０２は、自装置内で発生したデータ信号を制御装置１０１へ送信した場合に、そのデータ信号に対する制御装置１０１からの確認応答を同時に受信することもできる。
【００４１】
次に、図６を用いて、手順２が用いられる場合の、無線通信システムにおいて実行される処理の流れについて説明する。
【００４２】
本処理において、Ｓ５０１〜Ｓ５０６までの処理の流れは、図５と同様であるため、同じ参照番号を付して詳細な説明については省略する。なお、本処理では、手順２が用いられることが決定され、端末装置１０２〜１０３において、それに応じた設定が行われる。端末装置１０３からのデータ信号が、端末装置１０２を介して制御装置１０１において受信されると、制御装置１０１は、ユニキャストで、端末装置１０３に対して確認応答を送信する（Ｓ６０１）。端末装置１０３は、Ｓ５０４での設定によって、このユニキャストでの確認応答を受信することができる。端末装置１０３は、制御装置１０１から確認応答を受信すると、この確認応答を端末装置１０２へと転送する（Ｓ６０２）。これによれば、制御装置１０１は、端末装置１０３から端末装置１０２を介して受信したデータ信号に対して、端末装置１０３へ直接確認応答を送信するため、端末装置１０３は、短期間の待ち受けによって確認応答を受信することができる。また、端末装置１０２は、端末装置１０３からの信号によって、自装置が中継した端末装置１０３からの信号の制御装置１０１における受信が成功したことを知ることができる。さらに、端末装置１０２は、自装置において発生したデータ信号に関する確認応答を、この端末装置１０３からの確認応答とは別個に受信しうるため、例えば端末装置１０３に関する確認応答を受信するのを待たずに次のデータ信号を送信することができる。
【００４３】
次に、図７を用いて、手順３が用いられる場合の、無線通信システムにおいて実行される処理の流れについて説明する。
【００４４】
本処理において、Ｓ５０１〜Ｓ５０５までの処理の流れは、図５と同様であるため、同じ参照番号を付して詳細な説明については省略する。端末装置１０２は、端末装置１０３からのデータ信号を受信すると、例えばその転送（Ｓ５０６）の前に、このデータ信号に対する確認応答を制御装置１０１へと送信する（Ｓ７０１）。この確認応答は、制御装置１０１によって、端末装置１０３へと転送される（Ｓ７０２）。なお、図７では、データ信号の転送（Ｓ５０６）の前に、確認応答が端末装置１０２から制御装置１０１へ送信されるとしたが、このデータ信号の転送と確認応答の送信は、並行して同じ又は略同じタイミングで行われてもよい。端末装置１０２が、端末装置１０３からのデータ信号を制御装置１０１へと転送すると、制御装置１０１は、この転送されたデータ信号についていの確認応答を、端末装置１０２に対してユニキャストで送信する（Ｓ７０３）。端末装置１０２は、この確認応答を端末装置１０３へと送信することはなく、また、制御装置１０１も、この転送されたデータ信号に対する確認応答を端末装置１０３へと送信することはない。これは、端末装置１０２においてデータ信号の受信に成功した場合には、それ以降は端末装置１０３が関与せずに、端末装置１０２と制御装置１０１との間だけでこのデータ信号を送受信することができるため、中継に関する確認応答を端末装置１０３へ通知する必要が必ずしもないからである。これにより、端末装置１０３は、短期間の待ち受けによって確認応答を受信することができる。
【００４５】
このように、上述の手順１〜手順３によれば、端末装置１０３が短期間の待ち受けによって確認応答を受信することができ、結果として端末装置１０３の消費電力を低減することができる。また、いずれの手順においても、端末装置１０２にも確認応答が送信されるため、端末装置１０２も中継に係る通信が成功したかを認識することができる。このようにして、上述の手順１〜手順３によれば、中継装置である端末装置１０２と、端末装置１０２による中継の提供を受ける端末装置１０３とに対して、効率的に確認応答が送信されるようになる。
【００４６】
以上、本実施形態に係る代表的な構成及び処理の流れについて説明したが、これらは一例にすぎず、特許請求の範囲に記載された範囲での、本明細書に記載された実施形態に対する様々な変形及び変更も、本発明の権利範囲内に当然に含まれるものである。
【図１】
2018121173.tif 000003
【図２】
2018121173.tif 000004
【図３】
2018121173.tif 000005
【図４】
2018121173.tif 000006
【図５】
2018121173.tif 000007
【図６】
2018121173.tif 000008
【図７】
2018121173.tif 000009